(57)【要約】  一実施形態では、１つのページングオケージョンがサブフレームに対応する、１つまたは複数のページングオケージョンのセットの間にページング情報を収集するための方法および端末。一実施形態では、本方法は、１つまたは複数のページングオケージョンのセットの第１のサブフレームを決定し、１つまたは複数のページングオケージョンのセットの最後のサブフレームを決定する。本端末は、１つまたは複数のページングオケージョンのセットの第１のサブフレームと最後のサブフレームとの間の任意のサブフレーム中のページング情報を収集することを試みるように要求される。【選択図】図２
2019506816.tif 000002
【特許請求の範囲】
【請求項１】
１つのページングオケージョンがサブフレームに対応する、１つまたは複数のページングオケージョンのセットの間にページング情報を収集するための端末（１４）における方法であって、前記方法が、
前記１つまたは複数のページングオケージョンのセットの第１のサブフレームを決定すること（２００）と、
前記１つまたは複数のページングオケージョンのセットの最後のサブフレームを決定すること（２０２）と
を含み、
前記端末（１４）が、前記ページングオケージョンの前記第１のサブフレームと前記最後のサブフレームとの間の任意のサブフレーム中の前記ページング情報を収集することを試みるように要求される、
方法。
【請求項２】
前記１つまたは複数のページングオケージョンのセットが、２つまたはそれ以上のページングオケージョンのセットを備える、請求項１に記載の方法。
【請求項３】
前記１つまたは複数のページングオケージョンのセットの前記最後のサブフレームを決定することが、発見参照信号（ＤＲＳ）送信を有するサブフレームを検出することを含み、ページング送信が同じサブフレーム中の前記ＤＲＳ送信と多重化される、請求項１に記載の方法。
【請求項４】
前記１つまたは複数のページングオケージョンのセットの前記最後のサブフレームを決定することが、前記端末（１４）のサービングセルからの送信を検出することを含む、請求項１に記載の方法。
【請求項５】
前記検出された送信がＤＲＳ送信である、請求項４に記載の方法。
【請求項６】
前記ＤＲＳ送信が、前記１つまたは複数のページングオケージョンのセット中の前記最後のサブフレームに対応するサブフレーム内のページング送信と多重化される、請求項５に記載の方法。
【請求項７】
前記端末の前記サービングセルからの前記送信を検出することが、ページングメッセージを正常に復号することを含む、請求項４に記載の方法。
【請求項８】
前記ページングメッセージが、前記端末（１４）のページング識別情報を含んでいる、請求項７に記載の方法。
【請求項９】
前記最後のサブフレームを決定することが、ページング送信をもたない発見参照信号（ＤＲＳ）送信を有する、前記端末の前記サービングセルからの送信を検出することを含む、請求項１に記載の方法。
【請求項１０】
前記１つまたは複数のページングオケージョンのセットの前記最後のサブフレームを決定することが、前記第１のサブフレームと前記最後のサブフレームとの間の最小のサブフレームの数を決定することを含む、請求項１から９のいずれか一項に記載の方法。
【請求項１１】
前記１つまたは複数のページングオケージョンのセットの前記第１のサブフレームが、ＤＲＳ送信ウィンドウ（ＤＴｘＷ）のサブフレームである、請求項１から１０のいずれか一項に記載の方法。
【請求項１２】
前記１つまたは複数のページングオケージョンのセットの前記第１のサブフレームが、ＤＲＳ送信ウィンドウ（ＤＴｘＷ）の前記第１のサブフレームである、請求項１から１０のいずれか一項に記載の方法。
【請求項１３】
前記１つまたは複数のページングオケージョンのセットの前記第１のサブフレームが、ＤＲＳ送信ウィンドウ（ＤＴｘＷ）の第１のサブフレームであり、前記１つまたは複数のページングオケージョンのセットの前記最後のサブフレームが、前記ＤＴｘＷの別のサブフレームである、請求項１から１０のいずれか一項に記載の方法。
【請求項１４】
前記１つまたは複数のページングオケージョンのセットの前記第１のサブフレームが、発見参照信号（ＤＲＳ）送信ウィンドウ（ＤＴｘＷ）の第１のサブフレームであり、前記１つまたは複数のページングオケージョンのセットの前記最後のサブフレームが、前記ＤＴｘＷの最後のサブフレームである、請求項１に記載の方法。
【請求項１５】
前記１つまたは複数のページングオケージョンのセットの前記第１のサブフレームが、発見参照信号（ＤＲＳ）送信ウィンドウ（ＤＴｘＷ）のサブフレームであり、前記１つまたは複数のページングオケージョンのセットの前記最後のサブフレームが、前記ＤＴｘＷの外部のサブフレームである、請求項１に記載の方法。
【請求項１６】
前記１つまたは複数のページングオケージョンのセットが、発見参照信号（ＤＲＳ）送信ウィンドウ（ＤＴｘＷ）の外部にある、請求項１に記載の方法。
【請求項１７】
前記１つまたは複数のページングオケージョンのセットが、少なくとも２つの連続するサブフレームのセットを備える、請求項１から１６のいずれか一項に記載の方法。
【請求項１８】
前記端末が、リッスンビフォアトーク（ＬＢＴ）を要求するチャネル中の前記１つまたは複数のページングオケージョンのセットの前記第１のサブフレームと前記最後のサブフレームとの間の任意のサブフレーム中の前記ページング情報を収集することを試みる（２０４）ように要求される、請求項１から１７のいずれか一項に記載の方法。
【請求項１９】
前記１つまたは複数のページングオケージョンのセットの前記第１のサブフレームがサブフレーム０である、請求項１に記載の方法。
【請求項２０】
１つのページングオケージョンがサブフレームに対応する、１つまたは複数のページングオケージョンのセットの間にページング情報を収集するための端末（１４）であって、前記端末（１４）が、
ワイヤレスインターフェース（２４）と、
前記インターフェース（２４）に結合され、
前記１つまたは複数のページングオケージョンのセットの第１のサブフレームを決定すること（２００）、および
前記１つまたは複数のページングオケージョンのセットの最後のサブフレームを決定すること（２０２）
を行うように設定されたプロセッサ（２６）と
を備え、前記端末（１４）が、前記１つまたは複数のページングオケージョンのセットの前記第１のサブフレームと前記最後のサブフレームとの間の任意のサブフレーム中の前記ページング情報を収集することを試みるように要求される、
端末（１４）。
【請求項２１】
前記プロセッサを介して、前記端末が、請求項２から１９に記載の方法のいずれかを実施するようにさらに構成された、請求項２０に記載の端末。
【請求項２２】
１つのページングオケージョンがサブフレームに対応する、１つまたは複数のページングオケージョンのセットの間にページング情報を収集するための端末（１４）であって、前記端末（１４）が、
前記１つまたは複数のページングオケージョンのセットの第１のサブフレームを決定すること（２００）と、
前記１つまたは複数のページングオケージョンのセットの最後のサブフレームを決定すること（２０２）と
を行うように適応され、
前記端末が、前記１つまたは複数のページングオケージョンのセットの前記第１のサブフレームと前記最後のサブフレームとの間の任意のサブフレーム中の前記ページング情報を収集することを試みるように要求される、
端末（１４）。
【請求項２３】
前記端末が、請求項２から１９に記載の方法のいずれかを実施するようにさらに適応された、請求項２２に記載の端末。
【請求項２４】
１つのページングオケージョンがサブフレームに対応する、１つまたは複数のページングオケージョンのセットの間にページング情報を収集するための端末（１４）であって、前記端末（１４）が、
前記１つまたは複数のページングオケージョンのセットの第１のサブフレームを決定する（２００、４０４）ように動作可能な第１の決定モジュール（３４）と、
前記１つまたは複数のページングオケージョンのセットの最後のサブフレームを決定する（２０２、４０６）ように動作可能な第２の決定モジュール（３６）と
を備え、
前記端末（１４）が、前記ページングオケージョンの前記第１のサブフレームと前記最後のサブフレームとの間の任意のサブフレーム中の前記ページング情報を収集することを試みるように要求される、
端末（１４）。
【請求項２５】
１つのページングオケージョンがサブフレームに対応する、１つまたは複数のページングオケージョンのセットの間にページング情報を収集するための端末（１４）であって、前記端末（１４）が、
前記１つまたは複数のページングオケージョンのセットの第１のサブフレームを決定するための手段と、
前記１つまたは複数のページングオケージョンのセットの最後のサブフレームを決定するための手段と
を備え、
前記端末（１４）が、前記１つまたは複数のページングオケージョンのセットの前記第１のサブフレームと前記最後のサブフレームとの間の任意のサブフレーム中の前記ページング情報を収集することを試みるように要求される、
端末（１４）。
【請求項２６】
端末（１４）の１つまたは複数のプロセッサ（２０、２６）によって実行されたとき、前記端末（１４）に、
１つまたは複数のページングオケージョンのセットの第１のサブフレームを決定すること（２００、４０４）と、
前記１つまたは複数のページングオケージョンのセットの最後のサブフレームを決定すること（２０２、４０６）と
を行わせるソフトウェア命令を記憶する非一時的コンピュータ可読媒体であって、
前記端末（１４）が、前記１つまたは複数のページングオケージョンのセットの前記第１のサブフレームと前記最後のサブフレームとの間の任意のサブフレーム中のページング情報を収集することを試みるように要求される、
非一時的コンピュータ可読媒体。
【請求項２７】
前記端末（１４）の前記１つまたは複数のプロセッサによって実行されたとき、前記端末に、請求項２から１９のいずれか一項に記載の方法を実施させる、ソフトウェア命令をさらに備える、請求項２６に記載のコンピュータ可読媒体。
【請求項２８】
少なくとも１つのプロセッサ（２０、２６）によって実行されたとき、前記少なくとも１つのプロセッサ（２０、２６）に、請求項１から１９のいずれか一項に記載の方法を行わせる命令を備える、コンピュータプログラム。
【請求項２９】
請求項２８に記載のコンピュータプログラムを備えるキャリアであって、前記キャリアが、電子信号、光信号、無線信号、またはコンピュータ可読記憶媒体のうちの１つである、キャリア。
【請求項３０】
端末（１４）に割り当てられたページングオケージョンウィンドウ内で前記端末をページングするためのネットワークノード（１２）における方法であって、前記ページングオケージョンウィンドウが、１つのページングオケージョンがサブフレームに対応する、２つまたはそれ以上のページングオケージョンを備え、前記方法が、
前記端末（１４）に割り当てられた前記ページングオケージョンウィンドウ内の前記２つまたはそれ以上のページングオケージョンのうちの１つ中で、前記端末（１４）にページングメッセージを送信すること（４０２）
を含む、方法。
【請求項３１】
前記２つまたはそれ以上のページングオケージョンのうちの前記１つが、発見参照信号（ＤＲＳ）送信ウィンドウ（ＤＴｘＷ）内のサブフレームである、請求項３０に記載の方法。
【請求項３２】
前記ページングメッセージが、同じサブフレーム内のＤＲＳ送信と多重化される、請求項３１に記載の方法。
【請求項３３】
前記ページングメッセージが、ＤＲＳ送信を含んでいるサブフレームに隣接するサブフレーム中にある、請求項３１に記載の方法。
【請求項３４】
前記ページングオケージョンウィンドウが、前記ＤＴｘＷと整合される、請求項３１から３３のいずれか一項に記載の方法。
【請求項３５】
前記ページングオケージョンウィンドウの第１のサブフレームが、前記ネットワークノード（１２）の発見参照信号（ＤＲＳ）送信ウィンドウ（ＤＴｘＷ）の第１のサブフレームと整合され、前記ページングオケージョンウィンドウが、前記ＤＴｘＷを越えて延びるように、前記ページングオケージョンの最後のサブフレームが、前記ＤＴｘＷの最後のサブフレームの後にあり、前記ページングメッセージが送信される、前記２つまたはそれ以上のページングオケージョンのうちの前記１つが、前記ページングオケージョンウィンドウ内であるが前記ＤＴｘＷの外部のサブフレームである、請求項３０に記載の方法。
【請求項３６】
前記ページングオケージョンウィンドウが、前記ネットワークノードがＤＲＳを送信する、発見参照信号（ＤＲＳ）送信ウィンドウ（ＤＴｘＷ）の外部にある（４００）、請求項３０に記載の方法。
【請求項３７】
前記ページングメッセージが送信される、前記２つまたはそれ以上のページングオケージョンのうちの前記１つが、前記ネットワークノードがＤＲＳを送信する、発見参照信号（ＤＲＳ）送信ウィンドウ（ＤＴｘＷ）の外部にある（４００）、請求項３０に記載の方法。
【請求項３８】
前記ページングオケージョンウィンドウが、発見参照信号（ＤＲＳ）送信ウィンドウ（ＤＴｘＷ）に依存しない、請求項３０に記載の方法。
【請求項３９】
前記ページングオケージョンウィンドウ中の前記２つまたはそれ以上のページングオケージョンが、２つまたはそれ以上の連続するサブフレームを備える、請求項３０から３８のいずれか一項に記載の方法。
【請求項４０】
ワイヤレスインターフェース（１８、２４）と、
前記インターフェースに結合されたプロセッサ（２０、２６）とを備えるネットワークノード（１２）であって、前記ネットワークノード（１２）が、
端末（１４）に割り当てられたページングオケージョンウィンドウ内の２つまたはそれ以上のページングオケージョンのうちの１つ中で、前記端末（１４）にページングメッセージを送信する（４０２）
ように設定された、
ネットワークノード（１２）。
【請求項４１】
前記プロセッサ（２０、２６）を介して、前記ネットワークノード（１２）が、請求項３１から３９のいずれか一項に記載の方法を実施するようにさらに構成された、請求項４０に記載のネットワークノード。
【請求項４２】
端末（１４）に割り当てられたページングオケージョンウィンドウ内の２つまたはそれ以上のページングオケージョンのうちの１つ中で、前記端末（１４）にページングメッセージを送信する（４０２）
ように適応された、ネットワークノード（１２）。
【請求項４３】
プロセッサ（２０、２６）を介して、前記ネットワークノード（１２）が、請求項３１から３９のいずれか一項に記載の方法を実施するようにさらに構成された、請求項４２に記載のネットワークノード。
【請求項４４】
端末（１４）に割り当てられたページングオケージョンウィンドウ内の複数のページングオケージョンのうちの１つ中で、前記端末（１４）にページングメッセージを送信する（４０２）ように動作可能な送信モジュール（３８）
を備える、ネットワークノード（１２）。
【請求項４５】
ネットワークノード（１２）の１つまたは複数のプロセッサ（２０、２６）によって実行されたとき、前記ネットワークノード（１２）に、
端末（１４）に割り当てられたページングオケージョンウィンドウ内の複数のページングオケージョンのうちの１つ中で、前記端末（１４）にページングメッセージを送信すること（４０２）
を行わせるソフトウェア命令を記憶する、非一時的コンピュータ可読媒体。
【請求項４６】
少なくとも１つのプロセッサ（２０、２６）によって実行されたとき、前記少なくとも１つのプロセッサ（２０、２６）に、請求項３０から３９のいずれか一項に記載の方法を行わせる命令を備える、コンピュータプログラム。
【請求項４７】
請求項４６に記載のコンピュータプログラムを備えるキャリアであって、前記キャリアが、電子信号、光信号、無線信号、またはコンピュータ可読記憶媒体のうちの１つである、キャリア。
【発明の詳細な説明】
【技術分野】
【０００１】
関連出願
本出願は、その開示全体が本明細書に組み込まれる、２０１６年２月２５日に出願された仮出願第６２／２９９，７８６号の利益を主張する。
【０００２】
主題は、未ライセンス無線スペクトルにおけるページング端末に関する。
【背景技術】
【０００３】
第３世代パートナーシッププロジェクト（３ＧＰＰ）イニシアチブ「ライセンス支援型アクセス」（ＬＡＡ）は、３ＧＰＰ  Ｌｏｎｇ  Ｔｅｒｍ  Ｅｖｏｌｕｔｉｏｎ（ＬＴＥ）機器が、５ギガヘルツ（ＧＨｚ）帯域など、未ライセンス無線スペクトルにおいても動作することを可能にすることを意図する。未ライセンススペクトルは、ライセンス済みスペクトルを補うものとして使用される。それに応じて、デバイスは、ライセンス済みスペクトルにおいて１次セル（ＰＣｅｌｌ）に接続し、未ライセンススペクトルにおいて１つまたは複数の２次セル（ＳＣｅｌｌ）に接続するためにキャリアアグリゲーションを使用し、それにより、未ライセンススペクトルにおいて追加の送信容量から恩恵を受ける。ライセンス済みスペクトルと未ライセンススペクトルとをアグリゲートするために要求される変更を低減するために、ＰＣｅｌｌにおけるＬＴＥフレームタイミングが、ＳＣｅｌｌにおいて同時に使用される。
【０００４】
ＬＡＡ動作に加えて、ＬＴＥが、ライセンス済み帯域からのサポートなしに未ライセンス帯域上で十分に動くことが可能であるべきである。たとえば、ＭｕＬＴＥｆｉｒｅ（ＭＦ）は、ＬＴＥが、ライセンス済み帯域の使用を要求することなしに未ライセンス帯域上で単独で動くことを可能にする。
【０００５】
しかしながら、規制要件は、事前のチャネル検知がなければ未ライセンススペクトルにおける送信を許可しないことがある。未ライセンススペクトルは、同様のまたは同様でないワイヤレス技術の他の無線機と共有されなければならないので、未ライセンススペクトルにおけるチャネル上で送信する前に、いわゆるリッスンビフォアトーク（ＬＢＴ）方法が適用される必要がある。今日、たとえば、未ライセンス５ＧＨｚスペクトルは、主に、米国電気電子技術者協会（ＩＥＥＥ）８０２．１１ワイヤレスローカルエリアネットワーク（ＷＬＡＮ）規格を実装する機器によって使用される。この規格は、そのマーケティングブランド「Ｗｉ−Ｆｉ」で知られている。それゆえ、ＬＴＥ機器が５ＧＨｚ未ライセンススペクトルにおいて動作するために、ＬＴＥ機器は、未ライセンススペクトルにフェアなアクセスを提供するために、ＬＢＴプロシージャを実装しなければならない。
【０００６】
未ライセンススペクトルにおいて動作するとき、ＬＢＴ方式を利用することは、ユーザ機器（ＵＥ）にページングメッセージを正常に送信することが可能であるかどうかに関する、基地局（たとえば、エボルブドノードＢ（ｅＮＢ））における不確実性につながる。ＬＴＥでは、ＵＥをページングするための特有の方法があり、ＵＥは、異なる理由のために、たとえば、間欠受信（ＤＲＸ）のためにまたはシステム情報変更の通知のためにページングされ得る。ＬＴＥシステムのｅＮＢは、ページングフレーム（ＰＦ）ごとにＮｓ＝｛１，２，４｝のページングオケージョン（ＰＯ）を構成することができる。ＰＯおよびＰＦは、ＵＥ特有であり、ＵＥ識別情報、詳細には、ＵＥの国際モバイル加入者識別情報（ＩＭＳＩ）から導出される。セルによってサーブされるＵＥが多いほど、ＵＥを分散させ、最小ページングレイテンシとともに異なるＵＥを正常にページングするためのより良い見込みをｅＮＢに与えるために、ＰＦごとのＰＯの数は高くなる。
【０００７】
ＵＥは、電力消費量を低減するために、アイドルモードにおいてＤＲＸを使用し得る。ＬＴＥのためのページングのためのＤＲＸの構成は、３ＧＰＰ技術仕様（ＴＳ）３６．３０４、バージョン１３．２．０、セクション７において説明されている。詳細には、アイドルモードにおけるＵＥは、ページング無線ネットワーク一時識別子（Ｐ−ＲＮＴＩ）と呼ばれるページング指示のための特有のＰＯ中に、物理ダウンリンク制御チャネル（ＰＤＣＣＨ）を監視する。ＰＯは、ページングメッセージをアドレス指定する、ＰＤＣＣＨ上で送信されたＰ−ＲＮＴＩがあり得るサブフレームである。１つのＰＦは１つの無線フレームであり、これは、１つまたは複数のＰＯを含んでいることがある。ＤＲＸがＬＴＥにおいて使用されるとき、ＵＥは、ＤＲＸサイクルごとに１つのＰＯを監視することを必要とするにすぎない。
【０００８】
ＰＦおよびＰＯは、システム情報（３ＧＰＰ  ＴＳ３６．３３１、バージョン１３．２．０参照）において提供されるＤＲＸパラメータを使用して、以下の式によってＬＴＥにおいて決定される。詳細には、３ＧＰＰ  ＴＳ３６．３０４、バージョン１３．１．０、セクション７．１では以下を述べている。
ＰＦおよびＰＯは、システム情報において提供されるＤＲＸパラメータを使用して、以下の式によって決定される。
ＰＦは以下の等式によって与えられる。
ＳＦＮ  ｍｏｄ  Ｔ＝（Ｔ  ｄｉｖ  Ｎ）＊（ＵＥ＿ＩＤ  ｍｏｄ  Ｎ）
７．２において規定されているサブフレームパターンからＰＯを指すインデックスｉ＿ｓが、以下の計算から導出される。
ｉ＿ｓ＝ｆｌｏｏｒ（ＵＥ＿ＩＤ／Ｎ）  ｍｏｄ  Ｎｓ
ＵＥに記憶されたシステム情報ＤＲＸパラメータは、ＤＲＸパラメータ値がＳＩ中で変更されるときはいつでも、ＵＥにおいてローカルに更新されるものとする。ＵＥがＩＭＳＩを有しない場合、たとえば、ＵＳＩＭをもたない緊急呼を行うとき、ＵＥは、上記のＰＦおよびｉ＿ｓ式中でデフォルト識別情報としてＵＥ＿ＩＤ＝０を使用するものとする。
【０００９】
以下のパラメータが、ＰＦおよびｉ＿ｓの計算のために使用される。
−  Ｔ：ＵＥのＤＲＸサイクル。Ｔは、上位レイヤによって割り振られた場合はＵＥ特有ＤＲＸ値の、およびシステム情報中のブロードキャストされたデフォルトＤＲＸ値の、最も短いものによって決定される。ＵＥ特有ＤＲＸが上位レイヤによって構成されない場合、デフォルト値が適用される。
−  nB: 4T, 2T, T, T/2, T/4, T/8, T/16, T/32
−  N: min(T,nB)
−  Ns: max(1,nB/T)
−  UE_ID: IMSI mod 1024
ＩＭＳＩは整数型の数字のシーケンス（０．．９）として与えられ、ＩＭＳＩは上記の式中で１０進整数として解釈されるものとし、シーケンス中で与えられる第１の数字が最上位桁を表す。
【００１０】
ＵＥのためのＰＯは、あらかじめ規定されたサブフレームパターンから取得される（３ＧＰＰ  ＴＳ３６．３０４、バージョン、１３．１．０、セクション７．２）。サブフレームパターンは下記の表に示されており、これは、３ＧＰＰ  ＴＳ３６．３０４、バージョン１３．１．０、セクション７．２から複写されている。
2019506816.tif 000003
2019506816.tif 000004
【００１１】
ページング構成は、システム情報ブロック２（ＳＩＢ２）において提供される。詳細には、３ＧＰＰ  ＴＳ３６．３３１、バージョン１３．１．０、セクション６．３．１が以下を提供する。
PCCH-Config ::=                                        シーケンス {
defaultPagingCycle                                     列挙 {
rf32, rf64, rf128, rf256},
nB                                                     列挙{
fourT, twoT, oneT, halfT, quarterT, oneEighthT,
oneSixteenthT, oneThirtySecondT}
}
2019506816.tif 000005
【００１２】
ＬＴＥでは、ＵＥのためにＰＯが発生する固定ロケーションがあることがわかり得る。未ライセンススペクトルについて上記で指摘されたように、ＭＦなどのシステムでは、送信はＬＢＴを条件とする。ＬＢＴが失敗した場合、物理チャネルが占有される。物理チャネルが占有された場合、ページング送信は、次のページングサイクルに延期されなければならず、これは、３２０ｍｓから２．５６ｓにわたる。
【発明の概要】
【００１３】
未ライセンススペクトルにおけるページングメッセージを送信および収集するためのシステムおよび方法が開示される。いくつかの実施形態では、１つのページングオケージョン（ＰＯ）がサブフレームに対応する、１つまたは複数のＰＯのセットの間にページング情報を収集するための端末における方法が、１つまたは複数のＰＯのセットの第１のサブフレームを決定することと、１つまたは複数のＰＯのセットの最後のサブフレームを決定することとを含み、端末は、１つまたは複数のＰＯのセットの第１のサブフレームと最後のサブフレームとの間の任意のサブフレーム中のページング情報を収集することを試みるように要求される。いくつかの実施形態では、１つまたは複数のＰＯのセットは、少なくとも２つのＰＯのセットを備える。このようにして、端末は、特に未ライセンススペクトルにおいて動作するネットワークノードによってページングされるとき、効率的にページングされ得る。言い換えれば、単一のＰＯを単に監視するのではなく、端末はＰＯのセットを監視する。そうする際に、ネットワークノードが、たとえば、リッスンビフォアトーク（ＬＢＴ）により、ＰＯのうちの１つ中に端末にページングメッセージを送信することができない場合、ネットワークノードは、他のＰＯのうちの１つ中でページングメッセージを送信することができる。このようにして、端末は効率的にページングされ得る。
【００１４】
いくつかの実施形態では、１つまたは複数のＰＯのセットの最後のサブフレームを決定することは、発見参照信号（ＤＲＳ）送信を有するサブフレームを検出することを含み、ページング送信は同じサブフレーム中のＤＲＳ送信と多重化される。
【００１５】
いくつかの実施形態では、１つまたは複数のＰＯのセットの最後のサブフレームを決定することは、端末のサービングセルからの送信を検出することを含む。さらに、いくつかの実施形態では、検出された送信はＤＲＳ送信である。ＤＲＳ送信は、１つまたは複数のＰＯのセット中の最後のサブフレームに対応するサブフレーム内のページング送信と多重化され得る。さらに、いくつかの実施形態では、検出された送信は、ページング無線ネットワーク一時識別子（Ｐ−ＲＮＴＩ）にアドレス指定された送信である。
【００１６】
さらに、いくつかの実施形態では、端末のサービングセルからの送信を検出することは、ページングメッセージを正常に復号することを含む。さらに、ページングメッセージは、端末のページング識別情報を含んでいる。
【００１７】
いくつかの実施形態では、１つまたは複数のＰＯのセットの最後のサブフレームを決定することは、第１のサブフレームと最後のサブフレームとの間のサブフレームの最小数を決定することを含む。
【００１８】
いくつかの実施形態では、１つまたは複数のＰＯのセットの第１のサブフレームは、ＤＲＳ送信ウィンドウ（ＤＴｘＷ）のサブフレームである。さらに、いくつかの実施形態では、第１のサブフレームは、ＤＴｘＷの第１のサブフレームである。
【００１９】
いくつかの実施形態では、１つまたは複数のＰＯのセットの第１のサブフレームはサブフレーム０である。いくつかの実施形態では、１つまたは複数のＰＯのセットの第１のサブフレームは、ＤＴｘＷの第１のサブフレームであり、１つまたは複数のＰＯのセットの最後のサブフレームは、ＤＴｘＷの別のサブフレームである。いくつかの実施形態では、最後のサブフレームは、ＤＴｘＷの最後のサブフレームである。いくつかの実施形態では、最後のサブフレームは、ＤＴｘＷの外部のサブフレームである。
【００２０】
いくつかの実施形態では、１つまたは複数のＰＯのセットは、ＤＴｘＷの外部にある。いくつかの実施形態では、端末は、ＬＢＴを要求するチャネル中の１つまたは複数のＰＯのセットの第１のサブフレームと最後のサブフレームとの間の任意のサブフレーム中のページング情報を収集することを試みるように要求される。
【００２１】
いくつかの実施形態では、１つのＰＯがサブフレームに対応する、１つまたは複数のＰＯのセットの間にページング情報を収集するための端末は、ワイヤレスインターフェースと、インターフェースに結合され、１つまたは複数のＰＯのセットの第１のサブフレームを決定すること、および１つまたは複数のＰＯのセットの最後のサブフレームを決定することを行うように構成されたプロセッサとを備え、端末は、１つまたは複数のＰＯのセットの第１のサブフレームと最後のサブフレームとの間の任意のサブフレーム中のページング情報を収集することを試みるように要求される。
【００２２】
いくつかの実施形態では、１つまたは複数のＰＯのセットの最後のサブフレームを決定することは、ＤＲＳ送信を有するサブフレームを検出することを含み、ページング送信は、同じサブフレーム中のＤＲＳ送信と多重化される。
【００２３】
いくつかの実施形態では、端末は、１つまたは複数のＰＯのセットの最後のサブフレームを決定する際に端末のサービングセルからの送信を検出するようにさらに構成される。さらに、いくつかの実施形態では、検出された送信はＤＲＳ送信である。ＤＲＳ送信は、１つまたは複数のＰＯのセット中の最後のサブフレームに対応するサブフレーム内のページング送信と多重化され得る。さらに、いくつかの実施形態では、検出された送信は、ページング送信をもたないＤＲＳ送信である。
【００２４】
さらに、いくつかの実施形態では、端末のサービングセルからの送信を検出することは、ページングメッセージを正常に復号することを含む。さらに、ページングメッセージは、端末のページング識別情報を含んでいる。
【００２５】
いくつかの実施形態では、１つまたは複数のＰＯのセットの最後のサブフレームを決定する際に、端末は、第１のサブフレームと最後のサブフレームとの間のサブフレームの最小数を決定するように構成される。
【００２６】
いくつかの実施形態では、１つまたは複数のＰＯのセットの第１のサブフレームは、ＤＴｘＷのサブフレームである。さらに、いくつかの実施形態では、第１のサブフレームは、ＤＴｘＷの第１のサブフレームである。
【００２７】
いくつかの実施形態では、１つまたは複数のＰＯのセットの第１のサブフレームはサブフレーム０である。いくつかの実施形態では、１つまたは複数のＰＯのセットの第１のサブフレームは、ＤＴｘＷの第１のサブフレームであり、１つまたは複数のＰＯのセットの最後のサブフレームは、ＤＴｘＷの別のサブフレームである。いくつかの実施形態では、最後のサブフレームは、ＤＴｘＷの最後のサブフレームである。いくつかの実施形態では、最後のサブフレームは、ＤＴｘＷの外部のサブフレームである。
【００２８】
いくつかの実施形態では、１つまたは複数のＰＯのセットは、ＤＴｘＷの外部にある。いくつかの実施形態では、端末は、ＬＢＴを要求するチャネル中の１つまたは複数のＰＯのセットの第１のサブフレームと最後のサブフレームとの間の任意のサブフレーム中のページング情報を収集することを試みるように要求される。
【００２９】
いくつかの実施形態では、１つのＰＯがサブフレームに対応する、１つまたは複数のＰＯのセットの間にページング情報を収集するための端末は、１つまたは複数のＰＯのセットの第１のサブフレームを決定することと、１つまたは複数のＰＯのセットの最後のサブフレームを決定することとを行うように適応され、端末は、１つまたは複数のＰＯのセットの第１のサブフレームと最後のサブフレームとの間の任意のサブフレーム中のページング情報を収集することを試みるように要求される。
【００３０】
いくつかの実施形態では、１つのＰＯがサブフレームに対応する、１つまたは複数のＰＯのセットの間にページング情報を収集するための端末は、１つまたは複数のＰＯのセットの第１のサブフレームを決定するように動作可能な第１の決定モジュールと、１つまたは複数のＰＯのセットの最後のサブフレームを決定するように動作可能な第２の決定モジュールとを備え、端末は、ＰＯの第１のサブフレームと最後のサブフレームとの間の任意のサブフレーム中のページング情報を収集することを試みるように要求される。
【００３１】
いくつかの実施形態では、１つのＰＯがサブフレームに対応する、１つまたは複数のＰＯのセットの間にページング情報を収集するための端末は、１つまたは複数のＰＯのセットの第１のサブフレームを決定するための手段と、１つまたは複数のＰＯのセットの最後のサブフレームを決定するための手段とを備え、端末は、１つまたは複数のＰＯのセットの前記第１のサブフレームと前記最後のサブフレームとの間の任意のサブフレーム中のページング情報を収集することを試みるように要求される。
【００３２】
いくつかの実施形態では、端末の１つまたは複数のプロセッサによって実行されたとき、端末に、１つまたは複数のＰＯのセットの第１のサブフレームを決定することと、１つまたは複数のＰＯのセットの最後のサブフレームを決定することとを行わせるソフトウェア命令を記憶する非一時的コンピュータ可読媒体、端末は、１つまたは複数のＰＯのセットの第１のサブフレームと最後のサブフレームとの間の任意のサブフレーム中のページング情報を収集することを試みるように要求される。
【００３３】
いくつかの実施形態では、ページングオケージョンウィンドウ（ＰＯＷ）が２つまたはそれ以上のＰＯを備え、１つのＰＯがサブフレームに対応する、端末に割り当てられたＰＯＷ内で端末をページングするためのネットワークノードにおける方法が、端末に割り当てられたＰＯＷ内の２つまたはそれ以上のＰＯのうちの１つ中で、端末にページングメッセージを送信することを含む。
【００３４】
いくつかの実施形態では、複数のＰＯのうちの１つは、ＤＴｘＷ内のサブフレームである。さらに、ページングメッセージは、同じサブフレーム内のＤＲＳ送信と多重化される。さらに、２つまたはそれ以上のＰＯのうちの１つは、ＤＲＳ送信を含んでいるサブフレームに隣接するサブフレームである。さらに、ＰＯＷはＤＴｘＷと整合される。
【００３５】
いくつかの実施形態では、ＰＯＷの第１のサブフレームは、ネットワークノードのＤＴｘＷの第１のサブフレームと整合され、ＰＯＷが、ＤＴｘＷを越えて延びるように、ＰＯの最後のサブフレームは、ＤＴｘＷの最後のサブフレームの後にあり、ページングメッセージが送信される、２つまたはそれ以上のＰＯのうちの１つは、ＰＯＷ内であるがＤＴｘＷの外部のサブフレームである。
【００３６】
いくつかの実施形態では、ＰＯＷは、ネットワークノードがＤＲＳを送信するＤＴｘＷの外部にある。いくつかの実施形態では、ページングメッセージが送信される、２つまたはそれ以上のＰＯのうちの１つは、ネットワークノードがＤＲＳを送信するＤＴｘＷの外部にある。いくつかの実施形態では、ＰＯＷはＤＴｘＷに依存しない。いくつかの実施形態では、ＰＯＷ中の２つまたはそれ以上のＰＯは、２つまたはそれ以上の連続するサブフレームを備える。
【００３７】
いくつかの実施形態では、ネットワークノードは、ワイヤレスインターフェースと、インターフェースに結合されたプロセッサとを備え、ネットワークノードは、端末に割り当てられたＰＯＷウィンドウ内の２つまたはそれ以上のＰＯのうちの１つ中で、端末にページングメッセージを送信するように構成される。
【００３８】
いくつかの実施形態では、ネットワークノードは、端末に割り当てられたＰＯＷ内の２つまたはそれ以上のＰＯのうちの１つ中で、端末にページングメッセージを送信するように適応される。
【００３９】
いくつかの実施形態では、ネットワークノードは、端末に割り当てられたＰＯＷ内の複数のＰＯのうちの１つ中で、端末にページングメッセージを送信するように動作可能な送信モジュールを備える。
【００４０】
いくつかの実施形態では、ネットワークノードの１つまたは複数のプロセッサによって実行されたとき、ネットワークノードに、端末に割り当てられたＰＯＷ内の複数のＰＯのうちの１つ中で、端末にページングメッセージを送信することを行わせるソフトウェア命令を記憶する、非一時的コンピュータ可読媒体。
【００４１】
当業者は、添付の図面に関連して実施形態の以下の詳細な説明を読めば、本開示の範囲を諒解し、その追加の態様を了解されよう。
【００４２】
本明細書に組み込まれ、本明細書の一部をなす添付の図面は、本開示のいくつかの態様を例示し、説明とともに本開示の原理について解説するように働く。
【図面の簡単な説明】
【００４３】
【図１】例示的なＬｏｎｇ  Ｔｅｒｍ  Ｅｖｏｌｕｔｉｏｎ（ＬＴＥ）ネットワークを例示する図である。
【図２】ネットワークノードを動作させる方法を例示する図である。
【図３】リッスンビフォアトーク（ＬＢＴ）ネットワークにおいてページング受信について試みるためにユーザ機器を動作させる方法を例示する図である。
【図４】発見参照信号（ＤＲＳ）送信ウィンドウ（ＤＴｘＷ）とページングオケージョンウィンドウ（ＰＯＷ）との間の例示的な関係を例示する図である。
【図５】ＬＢＴネットワークにおいてページングメッセージを送信する方法を例示する図である。
【図６】ＬＢＴネットワークにおいてページングメッセージを送信するときのメッセージフローを例示する図である。
【図７】ユーザ機器（ＵＥ）を例示する図である。
【図８】ネットワークノードを例示する図である。
【発明を実施するための形態】
【００４４】
下記に記載される実施形態は、当業者が本実施形態を実践することができるようにするための情報を表し、本実施形態を実践する最良の様式を例示する。添付の図面に照らして以下の説明を読むと、当業者は、本開示の概念を理解し、本明細書では特に扱われないこれらの概念の適用例を認識されよう。これらの概念および適用例は、本開示および添付の特許請求の範囲の範囲内に入ることを理解されたい。
【００４５】
本明細書で開示される実施形態のいずれかの任意の特徴は、適切であればいかなる場合も、任意の他の実施形態に適用され得ることに留意されたい。同じように、実施形態のいずれかの任意の利点は、他の実施形態に適用され得、その逆も同様である。同封の実施形態の他の目的、特徴、および利点は、以下の説明から明らかになろう。
【００４６】
一般に、本明細書で使用されるすべての用語は、本明細書で別段明示的に規定されない限り、本技術分野におけるその通例の意味に従って解釈されるべきである。「１つの（ａ／ａｎ）／その（ｔｈｅ）要素、装置、構成要素、手段、ステップなど」へのすべての参照は、別段明示的に述べられていない限り、その要素、装置、構成要素、手段、ステップなどの少なくとも１つの事例を指すようにオープンに解釈されるべきである。本明細書で開示されるいずれの方法のステップも、明示的に述べられていない限り、開示される厳密な順序で実施される必要はない。同じような番号は、説明全体にわたって同じような要素を指す。説明全体にわたって、ユーザ機器（ＵＥ）、ワイヤレスデバイス、および端末が互換的に使用される。
【００４７】
下記で説明される実施形態は、好適な通信規格をサポートし、好適な構成要素を使用する適切なタイプの通信システムにおいて実装され得る。一例として、いくらかの実施形態は、図１に例示されているものなど、Ｌｏｎｇ  Ｔｅｒｍ  Ｅｖｏｌｕｔｉｏｎ（ＬＴＥ）ネットワークにおいて実装され得る。
【００４８】
図１は、特定の実施形態による、ネットワークノード１２および１３と、ワイヤレスデバイス（ＷＤ）１４とを備える、ワイヤレスネットワーク１０を例示する。簡単のために、図１は、ネットワーク１６と、ネットワークノード１２および１３と、ＷＤ１４とを描くにすぎない。当業者によって諒解されるように、ネットワークノード１２の機能、これらの機能は、ネットワーク１６によって実施されることと呼ばれることがあることに留意されたい。ネットワークノード１２は、本明細書では、無線アクセスノード１２、基地局１２、またはエボルブドノードＢ（ｅＮＢ）１２と呼ばれることもある。同様に、ＷＤ１４は、本明細書ではＵＥ１４と呼ばれることもある。ネットワークノード１２は、インターフェース１８と、アンテナ１９と、プロセッサ２０と、ストレージ２２とを備える。同様に、ＷＤ１４は、インターフェース２４と、アンテナ２５と、プロセッサ２６と、ストレージ２８とを備える。これらの構成要素は、ワイヤレスネットワークにおいてワイヤレス接続を提供することなど、ネットワークノードおよび／またはワイヤレスデバイスに機能を提供するために協働し得る。異なる実施形態では、ワイヤレスネットワークは、任意の数のワイヤードまたはワイヤレスネットワーク、ネットワークノード、基地局、コントローラ、ワイヤレスデバイス、中継局、ならびに／あるいはワイヤード接続を介してかまたはワイヤレス接続を介してかにかかわらず、データおよび／または信号の通信を容易にするかまたはその通信に参加し得る他の構成要素を備え得る。
【００４９】
ネットワーク１６は、１つまたは複数のインターネットプロトコル（ＩＰ）ネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、ワイヤレスローカルエリアネットワーク（ＷＬＡＮ）、ワイヤードネットワーク、ワイヤレスネットワーク、メトロポリタンエリアネットワーク、およびデバイス間の通信を有効にするための他のネットワークを備え得る。
【００５０】
ネットワークノード１２は、インターフェース１８と、アンテナ１９と、プロセッサ２０と、ストレージ２２とを備える。これらの構成要素は、単一のより大きいボックス内に位置する単一のボックスとして描かれている。しかしながら、実際には、ネットワークノードは、単一の例示された構成要素を作成する複数の異なる物理的構成要素を備え得る（たとえば、インターフェース１８は、ワイヤード接続のためのワイヤを結合するための端末と、ワイヤレス接続のための無線トランシーバとを備え得る）。別の例として、ネットワークノード１２は、複数の異なる物理的に別個の構成要素が、ネットワークノード１２の機能を提供するために対話する、仮想ネットワークノードであり得る（たとえば、プロセッサ２０は、３つの別個のエンクロージャ中に位置する３つの別個のプロセッサを備え得、各プロセッサは、ネットワークノード１２の特定の事例のための異なる機能を担当する）。同様に、ネットワークノード１２は、複数の物理的に別個の構成要素（たとえば、ノードＢ構成要素および無線ネットワークコントローラ（ＲＮＣ）構成要素、基地トランシーバ局（ＢＴＳ）構成要素および基地局コントローラ（ＢＳＣ）構成要素など）から組み立てられ得、これらは各々、それら自体のそれぞれのプロセッサ、ストレージ、およびインターフェース構成要素を有し得る。ネットワークノード１２が複数の別個の構成要素（たとえば、ＢＴＳ構成要素およびＢＳＣ構成要素）を備えるいくらかのシナリオでは、別個の構成要素のうちの１つまたは複数は、いくつかのネットワークノードの間で共有され得る。たとえば、単一のＲＮＣが、複数のノードＢを制御し得る。そのようなシナリオでは、各一意のノードＢとＢＳＣとのペアは、別個のネットワークノードであり得る。いくつかの実施形態では、ネットワークノード１２は、複数の無線アクセス技術（ＲＡＴ）をサポートするように構成され得る。そのような実施形態では、いくつかの構成要素は複製され得（たとえば、異なるＲＡＴのための別個のストレージ）、いくつかの構成要素は再利用され得る（たとえば、アンテナ１９はＲＡＴによって共有され得る）。
【００５１】
プロセッサ２０は、単体で、またはストレージ２２などの他のネットワークノード構成要素と併せてのいずれかで、ネットワークノードに機能を提供するように動作可能な、マイクロプロセッサ、コントローラ、マイクロコントローラ、中央処理ユニット（ＣＰＵ）、デジタル信号プロセッサ、特定用途向け集積回路（ＡＳＩＣ）、フィールドプログラマブルゲートアレイ（ＦＰＧＡ）、または他の好適なコンピューティングデバイス、リソースのうちの１つまたは複数の組合せ、あるいはハードウェア、ソフトウェア、および／または符号化された論理の組合せであり得る。たとえば、プロセッサ２０は、ストレージ２２に記憶された命令を実行し得る。そのような機能は、ＷＤ１４などのワイヤレスデバイスに、本明細書で開示される特徴または利益のうちのいずれかを含む、本明細書で論じられる様々なワイヤレス特徴を提供することを含み得る。
【００５２】
ストレージ２２は、限定はしないが、永続記憶装置、固体メモリ、リモートでマウントされたメモリ、磁気媒体、光媒体、ランダムアクセスメモリ（ＲＡＭ）、読取り専用メモリ（ＲＯＭ）、リムーバブル媒体、あるいは他の好適なローカルまたはリモートメモリ構成要素を含む、任意の形態の揮発性または不揮発性コンピュータ可読メモリを備え得る。ストレージ２２は、ネットワークノード１２によって利用される、ソフトウェアおよび符号化された論理を含む、好適な命令、データまたは情報を記憶し得る。ストレージ２２は、プロセッサ２０によって行われた計算および／またはインターフェース２４を介して受信されたデータを記憶するために使用され得る。
【００５３】
ネットワークノード１２は、ネットワークノード１２、ネットワーク１６、および／またはＷＤ１４の間のシグナリングおよび／またはデータのワイヤードまたはワイヤレス通信において使用され得る、インターフェース１８をも備える。たとえば、インターフェース１８は、ネットワークノード１２が、ワイヤード接続にわたってネットワーク１６からデータを送信および受信することを可能にするために必要とされ得る、フォーマットすること、コーディングすること、または変換することを実施し得る。インターフェース１８はまた、アンテナ１９に結合されるかまたはアンテナ１９の一部であり得る、無線送信機および／または受信機を含み得る。無線機は、ワイヤレス接続を介して他のネットワークノードまたはＷＤに送出されるべきであるデジタルデータを受信し得る。無線機は、デジタルデータを、適切なチャネルおよび帯域幅パラメータを有する無線信号に変換し得る。無線信号は、次いで、適切な受信側（たとえば、ＷＤ１４）にアンテナ１９を介して送信され得る。
【００５４】
アンテナ１９は、データおよび／または信号をワイヤレスに送信および受信することが可能な任意のタイプのアンテナであり得る。いくつかの実施形態では、アンテナ１９は、たとえば、２ギガヘルツ（ＧＨｚ）と６６ＧＨｚとの間の無線信号を送信／受信するように動作可能な１つまたは複数の全方向、セクタまたはパネルアンテナを備え得る。全方向アンテナは、任意の方向に無線信号を送信／受信するために使用され得、セクタアンテナは、特定のエリア内のデバイスから無線信号を送信／受信するために使用され得、パネルアンテナは、比較的直線ラインで無線信号を送信／受信するために使用される見通し線アンテナであり得る。
【００５５】
ＷＤ１４は、任意のタイプのワイヤレスエンドポイント、移動局、モバイルフォン、ワイヤレスローカルループフォン、スマートフォン、ユーザ機器、デスクトップコンピュータ、携帯情報端末（ＰＤＡ）、セルフォン、タブレット、ラップトップ、ボイスオーバーインターネットプロトコル（ＶｏＩＰ）フォンまたはハンドセットであり得、これは、ネットワークノード１２および／または他のＷＤなど、ネットワークノードとの間でデータおよび／または信号をワイヤレスに送信および受信することが可能である。ＷＤ１４は、インターフェース２４と、アンテナ２５と、プロセッサ２６と、ストレージ２８とを備える。ネットワークノード１２のように、ＷＤ１４の構成要素は、単一のより大きいボックス内に位置する単一のボックスとして描かれているが、実際には、ワイヤレスデバイスは、単一の例示された構成要素を作成する複数の異なる物理的構成要素を備え得る（たとえば、ストレージ２８は複数の個別マイクロチップを備え得、各マイクロチップは総記憶容量の一部分を表す）。
【００５６】
プロセッサ２６は、単体で、またはストレージ２８などのＷＤ１４の他の構成要素と組み合わせてのいずれかで、ＷＤに機能を提供するように動作可能な、マイクロプロセッサ、コントローラ、マイクロコントローラ、ＣＰＵ、デジタル信号プロセッサ、ＡＳＩＣ、ＦＰＧＡ、または他の好適なコンピューティングデバイス、リソースのうちの１つまたは複数の組合せ、あるいはハードウェア、ソフトウェア、および／または符号化された論理の組合せであり得る。そのような機能は、本明細書で開示される特徴または利益のうちのいずれかを含む、本明細書で論じられる様々なワイヤレス特徴を提供することを含み得る。
【００５７】
ストレージ２８は、限定はしないが、永続記憶装置、固体メモリ、リモートでマウントされたメモリ、磁気媒体、光媒体、ＲＡＭ、ＲＯＭ、リムーバブル媒体、あるいは他の好適なローカルまたはリモートメモリ構成要素を含む、任意の形態の揮発性または不揮発性メモリであり得る。ストレージ２８は、ＷＤ１４によって利用される、ソフトウェアおよび符号化された論理を含む、好適なデータ、命令、または情報を記憶し得る。ストレージ２８は、プロセッサ２６によって行われた計算および／またはインターフェース２４を介して受信されたデータを記憶するために使用され得る。
【００５８】
インターフェース２４は、ＷＤ１４とネットワークノード１２との間のシグナリングおよび／またはデータのワイヤレス通信において使用され得る。たとえば、インターフェース２４は、ＷＤ１４が、ワイヤレス接続にわたってネットワークノード１２からデータを送信および受信することを可能にするために必要とされ得る、フォーマットすること、コーディングすること、または変換することを実施し得る。インターフェース２４はまた、アンテナ２５に結合されるかまたはアンテナ２５の一部であり得る、無線送信機および／または受信機を含み得る。無線機は、ワイヤレス接続を介してネットワークノード１２に送出されるべきであるデジタルデータを受信し得る。無線機は、デジタルデータを、適切なチャネルおよび帯域幅パラメータを有する無線信号に変換し得る。無線信号は、次いで、ネットワークノード１２にアンテナ２５を介して送信され得る。
【００５９】
アンテナ２５は、データおよび／または信号をワイヤレスに送信および受信することが可能な任意のタイプのアンテナであり得る。いくつかの実施形態では、アンテナ２５は、２ＧＨｚと６６ＧＨｚとの間の無線信号を送信／受信するように動作可能な１つまたは複数の全方向、セクタまたはパネルアンテナを備え得る。簡単のために、アンテナ２５は、ワイヤレス信号が使用されている限り、インターフェース２４の一部と見なされ得る。
【００６０】
アイドル／接続モードモビリティのための初期セル検出およびチャネル品質測定を可能にするために、発見参照信号（ＤＲＳ）が周期的に送信される。これは、ＵＥ１４が、ＵＥ１４のサービングセルを測定し、および／または他のセルを検出／測定することを可能にする。ＤＲＳ送信ウィンドウ（ＤＴｘＷ）が、ｅＮＢ１２が、未ライセンススペクトルにおいて動作するときにリッスンビフォアトーク（ＬＢＴ）を条件とする、ＤＲＳ送信をその間に試みる、周期ウィンドウを規定する。ｅＮＢ１２はＤＴｘＷの長さを選択することができ、これは１〜１０ｍｓの間の整数値であり得る。たとえば、長さはセル負荷に依存して構成され得、これはＬＢＴ成功率に影響を及ぼすことになる。ＬＴＥにおける最小ＤＴｘＷ周期性は４０ｍｓである。他の周期性はＭｕＬＴＥｆｉｒｅ（ＭＦ）において構成され得る。
【００６１】
ＤＲＳがサブフレーム（ＳＦ）＃０〜４上で送信されるとき、対応するセル特有参照信号（ＣＲＳ）が、ＳＦ＃０に対応するスクランブリングを使用する。ＤＲＳがＳＦ＃５〜９上で送信されるとき、対応するＣＲＳは、ＳＦ＃５に対応するスクランブリングを使用する。ＤＲＳがそれぞれＳＦ＃０またはＳＦ＃５中で送信される場合、ユニキャスト物理ダウンリンク共有チャネル（ＰＤＳＣＨ）が、ＤＲＳと多重化され得るにすぎないことがある。
【００６２】
アイドルモードでは、ＵＥ１４は、セル再選択基準を検査するために、ＤＲＳを周期的に測定する。サービングセルのＤＲＳを読み取るための周期性は、ＤＲＸサイクルに等しいと仮定される。ＬＴＥでは、ＵＥ１４は、ＤＲＸサイクルごとに少なくとも１回サービングセルを監視するように要求される。
【００６３】
ＤＲＳ送信のスパース性（４０ｍｓの最小周期性）により、現在のＬＴＥページング構成は、ページングオケージョン（ＰＯ）とＤＲＳ送信とが整合されるかまたは時間的に少なくとも近いことを保証しない。
【００６４】
本明細書で開示されるいくらかの実施形態では、ページングオケージョンウィンドウ（ＰＯＷ）とも呼ばれる、ＰＯのセット／いくつかのＰＯが１つのページングサイクルのために使用される。こうして、ページングサイクル内のページング送信は、１つの特有のＰＯ中でのみ、すなわち、１つの特有のページングサブフレーム中でのみ発生し得るだけではなく、ページングサイクルごとに複数のＰＯがあるように、複数の、潜在的に後続の、サブフレームからなる構成可能なＰＯＷオケージョンのセット／若干のＰＯＷオケージョンにも延びている。ＤＴｘＷと同様に、ＭＦ  ＰＯＷは、１〜１０ｍｓの長さに及ぶことができる。
【００６５】
いくつかの実施形態は以下を含み得る。
１）ＭＦ  ＰＯＷは、サービングセルのＤＴｘＷが以下を保証することをカバーするように、構成されることになる。
ａ）ページング送信は、同じサブフレーム中のＤＲＳ送信と多重化される。ＭＦ  ＰＯＷは、ＤＴｘＷと同等の長さおよび開始サブフレームを有するか、または
ｂ）ＰＯＷはＤＲＳ送信と時間的に近い。
２）ＤＲＳ送信に依存しない、いくつかのＭＦ  ＰＯＷ構成が使用される。
【００６６】
本明細書で開示される実施形態は、ＵＥの電力消費を最適化しながら、ページングレイテンシを低減し得る。
【００６７】
実施形態１ａでは、ページングおよびＤＲＳ送信は、同じサブフレーム中で実施され得る。これは、最小限に抑えられたＵＥ電力消費を可能にする。しかしながら、セルによってサーブされるアイドルモードＵＥの数が所与のしきい値より上回って増加する場合、所与の時間制約内にセルによってサーブされるすべてのＵＥをページングすることが可能である確率は減少することになる。
【００６８】
実施形態１ｂでは、ページングとＤＲＳ送信とは両方とも、重複ウィンドウ中で実施されるが、必ずしも同じサブフレーム中で実施されるとは限らない。これは、ＵＥ１４が起動している時間をＵＥ１４が制限することを可能にし、同時に、前の実施形態と比較してより多くのＵＥがページングされることを可能にする。しかしながら、ＵＥ電力消費は、ＤＲＳが検出されるとＵＥがページングを監視することを停止することができる前の実施形態よりもわずかに高い。
【００６９】
実施形態２では、ページング送信は、必ずしもＤＲＳ送信と一致するとは限らない。異なるＭＦ  ＰＯＷ構成は、ＵＥのより高い数が所与の時間制約内にページングされることに応ずる。ＰＯＷは、ページングフレーム（ＰＦ）内に拡散されるのみでなく、ＤＴｘＷ間にも拡散されることになる。この実施形態は、ＤＲＳ受信について試みるために起動し、ページング受信について試みるために起動することをＵＥに要求するが、多数のＵＥのためにページングレイテンシを低減することになる。
【００７０】
添付の図面を参照しながら、次に、上記で説明された実施形態のいくつかが以下でより十分に説明される。しかしながら、他の実施形態は、本開示の範囲内に含まれ、本開示は、本明細書で記載される実施形態のみに限定されるものとして解されるべきではない。むしろ、これらの実施形態は、当業者に発明的概念の範囲を伝達するために、例として提供される。
【００７１】
いくらかの実施形態は、単一のサブフレームからなるＰＯではなく、いくつかのサブフレームからなるＰＯＷを規定する。これの１つの利点は、ＬＢＴ障害に応ずることに、より良く適合され得るということである。いくつかの実施形態では、ｅＮＢ１２は、ページング送信とＤＲＳ送信とが同じサブフレーム中で送信されるように、ページング送信をＤＲＳ送信と整合させる。ＵＥ１４は、並列に、同時に、またはほぼ同時に、ＤＲＳとページングとを受信することを試み得る。ＵＥ１４がサブフレーム中でＤＲＳを検出するがページングがない場合、ＰＯＷがより多くのサブフレームをカバーするにもかかわらず、ＵＥ１４は次のサブフレーム中でスリープすることになる。より多くのサブフレームを監視する代わりにスリープすることは、エネルギー消費を改善するのを助け得る。
【００７２】
特定の実施形態では、ｅＮＢ１２は、ＤＴｘＷと整合されたＰＯＷ内でページングを送信し得る。そのような実施形態では、ＵＥ１４がＤＲＳおよび／またはページング送信を検出した場合でも、ＵＥ１４は完全なＰＯＷを監視し得る。
【００７３】
いくつかの実施形態では、ｅＮＢ１２は、ＤＴｘＷ構成に依存しないＰＯＷを構成し得る。ＤＴｘＷと重複することになるＰＯＷがあることになるが、他のものはＤＴｘＷと重複しないことになる。ページングがＤＴｘＷ内でＤＲＳと多重化される場合、ｅＮＢは、たとえば、それぞれ、ＳＦ＃０またはＳＦ＃５に対応するＣＲＳをスクランブルし得る。類似して、ＵＥ１４は、ＤＲＳ送信と多重化されたページング送信を復号するために、それぞれ、ＳＦ＃０またはＳＦ＃５に対応するスクランブリングを考慮し得る。
【００７４】
ページングサイクル内のＰＯのセット／いくつかのＰＯである、ＰＯＷは、ＤＴｘＷと同じ長さを有するように構成され得る。長さは、たとえば、１〜１０ｍｓの間で構成可能であり得、ｅＮＢ１２は、ＰＯＷのための適切な長さを選択するために、セル負荷および対応するＬＢＴ障害ならびに送信機会（ＴＸＯＰ）など、異なるファクタを考慮し得る。反復バージョンの場合の問題により、ＳＦＮ  ｍｏｄ  ４＝０である、いくらかのシステムフレーム番号（ＳＦＮ）内で送信され得るにすぎないＤＲＳ送信とは異なり、ＰＯＷ内のＰＯは、同じシステムフレームに分類される必要はなく、これはページング構成のためにより多くの可能性を与える。
【００７５】
実施形態１では、ＰＯＷはサービングセルのＤＴｘＷと整合される。この点について、ＰＯＷは、上記で説明されたＮｓ＝｛１、２、４｝のＰＯの代わりにＭＦにおいて使用され、ＬＴＥにおいて使用される。レガシーＬＴＥの場合と同じく、ＰＦはＵＥ＿ＩＤから導出され得る。ＤＴｘＷ周期性が４０ｍｓであり、ＳＦＮ  ｍｏｄ  ４＝０において発生する場合、同じことがＰＦに当てはまることになる。たとえば、３２０ｍｓのページングサイクルの場合、ＵＥ１４は、（３２０ｍｓ／４０ｍｓ）＝８回の起こり得るＰＦ発生の間で分散される。
【００７６】
特有のＵＥ１４がページングされる必要がある場合、ｅＮＢ１２は、ＵＥ１４のためのＰＦを計算することになる。そのＰＦ内で、ｅＮＢ１２は、ページングメッセージをＤＲＳと多重化することになる。ページングを受信するために、ＵＥ１４は、こうして、ページングおよびＤＲＳが送信されるサブフレーム番号に依存して、ＳＦ＃０またはＳＦ＃５のいずれかに対応するＣＲＳスクランブリングを予想することになる。一実施形態では、ＰＯＷは、常にサブフレーム＃０において開始する。
【００７７】
実施形態１ｂでは、ページングは、随意に、ＰＯＷ内のＤＲＳを含んでいない別のサブフレーム中で送信されることを可能にされる。ページングを受信するために、ＵＥ１４は、こうして、ＤＲＳと同じサブフレーム中で送信されない場合、実際のサブフレーム番号を追従するためにＣＲＳスクランブリングを予想すべきである。
【００７８】
実施形態１ｂでは、あるＵＥは、ＤＲＳサブフレーム中でページングされ得るが、別のＵＥは、ＤＲＳサブフレームに続く別のサブフレーム中でページングされ得る。結果として、ＵＥ１４は、ＤＲＳおよびページング送信の検出時にページング送信を監視することを必ずしも停止するとは限らず、ここで、ページングメッセージは別のＵＥを対象とした。１つの可能なオプションは、ＰＯＷがＤＴｘＷの後に終了し得るように、ＤＲＳサブフレーム（延びているページングオケージョンウィンドウ）中でＰＯＷを開始するようにＵＥ１４を構成することであろう。
【００７９】
実施形態２では、ＰＯＷは、サービングセルのＤＴｘＷに依存せずに構成される。この点について、セル中のＵＥ１４の数があるしきい値を超える場合、ｅＮＢ１２は、ページングのための時間領域においてＵＥ１４を分散させるために、より多くのＰＯＷを構成することを決定し得る。
【００８０】
一実施形態では、ＰＦは、ＰＦが任意の無線フレーム中で発生し得るようなものであり、たとえば、ＳＦＮ  ｍｏｄ  ４が、０、１、２、または３であり得るようなものである。別の実施形態では、ＰＯＷの発生はＰＦ内にあり得、すなわち、ＰＯＷは５つのサブフレームの長さを有することができ、こうして、ＰＦ内に２つのＰＯＷがあり得る。第１のＰＯＷはサブフレーム＃０〜４をカバーすることができ、他方のＰＯＷはサブフレーム＃５〜９をカバーすることができる。ＰＦ内での分布は、ＰＯＷの長さに依存して異なり得る。その上、ＰＯＷは、１つまたは複数の無線フレームにわたって拡大するようにサブフレームオフセットで構成され得る。その場合、式は、たとえば、１０個のサブフレームではなく８つのサブフレームのグループに基づき得る。これは、ＬＴＥのための既存の式から逸脱するであろう。ＵＥがＳＦＮに基づいてＵＥのサブフレームグループを導出することができることは重要である。たとえば、１０２４個のＳＦＮがある場合、こうして、１０２４０個のサブフレームが１０２４個のＳＦＮに収まる。簡単な計算のために、１０２４０個はページングサブフレームグルーピング（ＰＳＧ）によって分割可能であるべきであり、これは、いくつかのシナリオでは、２つ、４つ、５つ、または８つのサブフレームからなることがある。５つのサブフレームからなるＰＳＧは、無線フレーム内に２つのＰＯＷを可能にし、これは、レガシーシステムにおけるＮｓ＝２の構成に対応するであろう。
【００８１】
ページングサブフレームグルーピング番号（ＰＳＧＮ）が、以下のように計算され得る。
ＰＳＧＮ  ｍｏｄ  ＴＭＦ＝（ＴＭＦ  ｄｉｖ  ＮＭＦ）＊（ＵＥ＿ＩＤ  ｍｏｄ  ＮＭＦ）
Ｔ→ＴＭＦ＝Ｔ＊（１０／ＰＳＧ）
Ｎ→ＮＭＦ＝Ｎ＊（１０／ＰＳＧ）
【００８２】
最後に、実際のＳＦＮ＋サブフレームオフセットが、ＰＳＧＮから導出されることになる。
ＳＦＮ＝ＰＳＧＮ＊ＰＳＧ  ｄｉｖ  １０
ＳＦＮサブフレームオフセット＝ＰＳＧＮ＊ＰＳＧ  ｍｏｄ  １０
【００８３】
ＰＯＷは、ＰＳＧに等しいかまたはＰＳＧよりも小さくなるように構成され得る。より短いＰＳＧを有することは、ＵＥを分散させるためのより多くのオケージョンを可能にし、多くの（アイドルモード）ＵＥをもつセルに対応するが、多くのＬＢＴ障害という欠点がある、高いトラフィック負荷をもつセルを処理するために、より長いＰＳＧが必要とされるであろう。
【００８４】
短いＰＯＷを構成することは、より低いバッテリー消費を可能にするが、ＬＢＴ障害によりページング送信が次のＰＯＷに延期されなければならない確率が高くなる。
【００８５】
図２は、本開示のいくつかの実施形態による、図１のワイヤレスネットワーク１０の１つの例示的な動作方法を例示する。この例では、ネットワークノード１２は、ＵＥの数に依存して、実施形態１ａを利用すべきなのか、実施形態１ｂを利用すべきなのか、実施形態２を利用すべきなのかを決定する。例示されているように、ネットワークノード１２（たとえば、ｅＮＢ１２）は、ＵＥの数（ＮＵＥｓ）が第１のしきい値（ＮＴＨ１ａ）よりも大きいかどうかを決定する（ステップ１００）。ＵＥの数（ＮＵＥｓ）が第１のしきい値（ＮＴＨ１ａ）よりも大きくない場合、ネットワークノード１２は、実施形態１ａに関して上記で説明されたように、ページングをＤＲＳ送信と整合させ、ここで、ＰＯＷの長さはＤＴｘＷの長さに等しく、ＰＯＷは、ＳＦＮ  ｍｏｄ  ＤＴｘＷ周期／１０＝０において開始する（ステップ１０２）。しかしながら、ＵＥ１４の数が第１のしきい値よりも大きい場合、ネットワークノード１２は、ＵＥの数（ＮＵＥｓ）が第２のしきい値（ＮＴＨ１ｂ）よりも大きいかどうかを決定する（ステップ１０４）。ＵＥの数（ＮＵＥｓ）が第２のしきい値（ＮＴＨ１ｂ）よりも大きくない場合、ネットワークノード１２は、実施形態１ｂに関して上記で説明されたように、ページングをＤＴｘＷと整合させ、ここで、ＰＯＷの長さはＤＴｘＷに等しく、ＰＯＷは、ＳＦＮ  ｍｏｄ  ＤＴｘＷ周期／１０＝０において発生する（ステップ１０６）。ＵＥ１４は、ＤＲＳ送信の後でも設定される延びているＰＯＷ内でページング監視を続け得る。しかしながら、ＵＥの数（ＮＵＥｓ）が第２のしきい値（ＮＴＨ１ｂ）よりも大きい場合、ネットワークノード１２は、ＤＴｘＷに依存しないページングを構成する（ステップ１０８）。これは、ページングがＤＴｘＷ周期よりも頻繁であることを可能にする。ネットワークノード１２は、ＰＯＷがＤＴｘＷごとにＮ回発生するようにＰＯＷを構成することができる。たとえば、ＤＴｘＷ周期が１６０ｍｓである場合、ネットワークノード１２は、たとえば、第４の無線フレームごとに（４０ｍｓごとに、Ｎ＝４）発生するようにＰＯＷを構成することができる。Ｎ＝１６である場合、ＰＯＷは無線フレームごとに発生するであろう。Ｎ＝３２である場合、ＰＯＷは無線フレームごとにＮＰａｇｉｎｇ＝２回発生するであろう。ネットワークノード１２は、ＵＥの数（ＮＵＥｓ）が第３のしきい値（ＮＴＨ２）よりも大きいかどうかを決定する（ステップ１１０）。ＵＥの数（ＮＵＥｓ）が第３のしきい値（ＮＴＨ２）よりも大きくない場合、ネットワークノード１４は、ＰＯＷが無線フレームごとに１回発生するように構成する（ステップ１１２）。ＵＥの数（ＮＵＥｓ）が第３のしきい値（ＮＴＨ２）よりも大きい場合、ネットワークノード１２は、ＰＯＷが無線フレームごとにＮＰａｇｉｎｇ回発生するようにＰＯＷの長さを構成し、ここで、ＮＰａｇｉｎｇは１よりも大きくなり得る（ステップ１１４）。第１、第２、および第３のしきい値は、あらかじめ規定されるかまたはあらかじめ構成され得る。
【００８６】
図３は、本開示のいくつかの実施形態による、１つのＰＯがサブフレームに対応する、１つまたは複数のＰＯのセットの間にページング情報を収集するための端末（たとえば、ＵＥ１４）における方法を例示する。端末は、１つまたは複数のＰＯのセット（すなわち、ＰＯセット）の第１のサブフレームを決定する（ステップ２００）。上記で説明されたように、特定の実施形態に依存して、１つまたは複数のＰＯのセットの第１のサブフレームは、ＤＴｘＷの開始と整合されるかまたはＤＴｘＷに依存しないことがある。さらに、１つまたは複数のＰＯのセットは、実施形態に依存して、たとえば、１つまたは複数のサブフレーム、２つまたはそれ以上のサブフレーム、あるいは２つまたはそれ以上の連続するサブフレームであり得る。
【００８７】
端末は、１つまたは複数のＰＯのセットの最後のサブフレームを決定し、端末は、第１のサブフレームと最後のサブフレームとの間の任意のサブフレーム中のページング情報を収集することを試みるように要求される（ステップ２０２）。上記で論じられたように、最後のサブフレームは、実施形態に依存して、ＤＴｘＷ内にまたはＤＴｘＷの外部にあり得る。決定することは、ＰＯのセット中のサブフレームの最小数に基づき得る。
【００８８】
最後のサブフレームを決定することは、端末のサービングセル（たとえば、ｅＮＢまたは他のネットワークノード）からの送信を検出することを含む。送信はＤＲＳ送信であり得る。たとえば、ページングはＤＲＳと多重化され得る。送信は、ページング無線ネットワーク一時識別子（Ｐ−ＲＮＴＩ）にアドレス指定された送信であり得る。送信を検出することは、端末のページング識別情報をもつページングメッセージを正常に復号することであり得る。
【００８９】
いくつかの他の実施形態では、最後のサブフレームを決定することは、ＰＯのセット中のサブフレームの最小数に基づいて最後のサブフレームを決定することを含む。
【００９０】
随意のステップ２０４において、端末は、第１のサブフレームと最後のサブフレームとの間の任意のサブフレーム中のページング情報を収集することを試みる。
【００９１】
図４は、本明細書で説明されるように、ＰＯＷの様々な構成を例示する。図４の（ａ）では、ＰＯＷがＤＴｘＷと整合される実施形態の一例が例示されている。図４の（ｂ）では、ＰＯＷの開始がＤＴｘＷの開始と整合され、ＰＯＷがＤＴｘＷの終端を越えて延びる、実施形態の一例が例示されている。図４の（ｃ）では、ＰＯＷがＤＴｘＷに依存しない実施形態の一例が例示されている。
【００９２】
図５は、本開示のいくつかの実施形態による、ネットワークノード１２（たとえば、ｅＮＢ１２）の動作方法を例示する。例示されているように、ネットワークノード１２は、ＵＥ１４のために構成されたＰＯＷ内の複数のＰＯのうちの１つ中で、ＵＥ１４にページングメッセージを送信する（ステップ３００）。送信するより前に、ネットワークノード１２は、ＰＯＷと、ＵＥ１４のためのＰＯロケーションとを決定する必要がある（ステップ３０２）。ＰＯＷは、たとえば、ＤＴｘＷと整合されるか、ＤＴｘＷを越えて延びているか、またはＤＴｘＷの外部および潜在的にＤＴｘＷに依存しない、若干の連続するサブフレームであり得る。ページングメッセージがＵＥ１４に送信されるＰＯは、たとえば、ＤＴｘＷ中のサブフレーム、ページングメッセージが同じサブフレーム中のＤＲＸと多重化されるように、ＤＲＳが送信される同じサブフレーム、ＤＲＳを含んでいるサブフレームに隣接するサブフレーム、またはＤＴｘＷの外部にあるサブフレームであり得る。
【００９３】
図６は、上記で説明されたいくつかの実施形態による、ネットワークノード１２（たとえば、基地局１２）およびＵＥ１４の動作を例示する。例示されているように、基地局１２は、随意に、上記で説明されたように、ＰＯＷと、ＵＥ１４にページングメッセージを送信すべきＰＯＷ内のＰＯとを決定する（ステップ４００）。ＬＢＴを条件として、基地局１２は、ＰＯＷ内の決定されたＰＯ中でＵＥ１４にページングメッセージを送信する（ステップ４０２）。ＵＥ１４において、ＵＥ１４は、上記で説明されたように、ＵＥ１４がページングメッセージを監視すべきである、サブフレームまたはＰＯのセット中で、第１および最後のサブフレームを決定する（ステップ４０４および４０６）。
【００９４】
図７は、ＵＥ１４のいくつかの実施形態による、ＵＥ１４の概略ブロック図を例示する。例示されているように、ＵＥ１４は第１の決定モジュール３４と第２の決定モジュール３６とを含み、それらの各々はソフトウェアで実装される。第１の決定モジュール３４は、１つまたは複数のＰＯのセットの第１のサブフレームを決定するように構成される。第２の決定モジュール３６は、１つまたは複数のＰＯのセットの最後のサブフレームを決定するように構成され、ＵＥ１４は、上記で説明されたように、第１のサブフレームと最後のサブフレームとの間の任意のサブフレーム中のページング情報を収集することを試みるように要求される。
【００９５】
図８は、ネットワークノード１２のいくつかの実施形態による、ネットワークノード１２の概略ブロック図を例示する。例示されているように、ネットワークノード１２は、送信モジュール３８を含み、これはソフトウェアで実装される。送信モジュール３８は、上記で説明されたように、ＵＥ１４に割り当てられたＰＯＷ内の複数のＰＯのうちの１つ中で、ＵＥ１４にページングメッセージを送信するように構成される。送信モジュール３８は、上記で説明されたように、ＰＯＷと、ＰＯＷ内のＰＯロケーションとを決定し得る。本明細書で説明される任意のステップは、いくらかの実施形態を例示するにすぎない。すべての実施形態が、開示されるすべてのステップを組み込むことも、本明細書で描かれるかまたは説明される厳密な順序でステップが実施されることも要求されない。その上、いくつかの実施形態は、本明細書で開示されるステップのうちの１つまたは複数に固有のステップを含む、本明細書で例示または説明されないステップを含み得る。
【００９６】
任意の適切なステップ、方法、または機能は、たとえば、図に例示された構成要素および機器によって実行され得るコンピュータプログラム製品を通して実施され得る。たとえば、ストレージ２２は、コンピュータプログラムが記憶され得るコンピュータ可読手段を備え得る。コンピュータプログラムは、プロセッサ２０（ならびにインターフェース１８およびストレージ２２など、動作可能に結合されたエンティティおよびデバイス）に、本明細書で説明される実施形態による方法を実行させる命令を含み得る。コンピュータプログラムおよび／またはコンピュータプログラム製品は、こうして、本明細書で開示される任意のステップを実施するための手段を提供し得る。
【００９７】
任意の適切なステップ、方法、または機能は、１つまたは複数の機能モジュールを通して実施され得る。各機能モジュールは、ソフトウェア、コンピュータプログラム、サブルーチン、ライブラリ、ソースコード、または、たとえば、プロセッサによって実行される任意の他の形態の実行可能な命令を備え得る。いくつかの実施形態では、各機能モジュールは、ハードウェアでおよび／またはソフトウェアで実装され得る。たとえば、１つまたは複数のまたはすべての機能モジュールは、場合によってはストレージ２２および／または２８と協働して、プロセッサ２０および／または２６によって実装され得る。プロセッサ２０および／または２６ならびにストレージ２２および／または２８は、こうして、それぞれの機能モジュールが本明細書で開示される任意のステップまたは機能を実施することを可能にするために、プロセッサ２０および／または２６が、ストレージ２２および／または２８から命令をフェッチし、フェッチされた命令を実行することを可能にするように配置され得る。
【００９８】
発明的概念のいくらかの態様が、主に、数個の実施形態を参照しながら上記で説明された。しかしながら、当業者によって容易に諒解されるように、上記で開示された実施形態以外の実施形態が等しく可能であり、発明的概念の範囲内にある。同様に、若干の異なる組合せが論じられたが、すべての可能な組合せが開示されたとは限らない。当業者は、他の組合せが存在し、発明的概念の範囲内にあることを諒解するであろう。しかも、当業者によって理解されているように、本明細書で開示される実施形態は、そのようなものとして他の規格および通信システムにも適用可能であり、他の特徴と関連付けて開示される特定の図からの任意の特徴は、任意の他の図に適用可能であり、および／または異なる特徴と組み合わせられ得る。
【００９９】
いくつかの例示的な実施形態は以下の通りである。
・  実施形態Ａ：  １つのＰＯがサブフレームに対応する、１つまたは複数のＰＯのセットの間にページング情報を収集するための端末における方法であって、本方法は、
前記ＰＯセットの第１のサブフレームを決定することと、
前記ＰＯセットの最後のサブフレームを決定することと
を含み、
端末は、ＰＯの前記第１のサブフレームと前記最後のサブフレームとの間の任意のサブフレーム中の前記ページング情報を収集することを試みるように要求される、
方法。
・  実施形態Ｂ：  ＰＯセットの前記最後のサブフレームを前記決定することは、ＵＥがＵＥのサービングセルからの送信を検出することを含む、実施形態Ａに記載の方法。
・  実施形態Ｃ：  前記検出された送信はＤＲＳ送信である、実施形態Ｂに記載の方法。
・  実施形態Ｄ：  前記検出された送信は、Ｐ−ＲＮＴＩにアドレス指定された送信である、実施形態Ｂに記載の方法。
・  実施形態Ｅ：  前記検出された送信は、ページングメッセージを正常に復号することを含む、実施形態Ｂに記載の方法。
・  実施形態Ｆ：  前記ページングメッセージは、前記端末のページング識別情報を含んでいる、実施形態Ｅに記載の方法。
・  実施形態Ｇ：  ＰＯセットの前記最後のサブフレームを決定することは、前記第１のサブフレームと前記最後のサブフレームとの間のサブフレームの最小数を決定することを含む、上記の実施形態のいずれかに記載の方法。
・  実施形態Ｈ：  ＰＯセットの前記第１のサブフレームは、ＤＴｘＷの第１のサブフレームである、上記の実施形態のいずれかに記載の方法。
・  実施形態Ｉ：  ワイヤレスインターフェースと、インターフェースに結合され、上記の方法のステップのいずれかを実施するように構成されたプロセッサとを備える、ネットワークノード。
・  実施形態Ｊ：  ワイヤレスインターフェースと、インターフェースに結合され、上記の方法のステップのいずれかを実施するように構成されたプロセッサとを備える、ワイヤレスデバイス。
・  実施形態Ｋ：  プロセッサとコンピュータ可読記憶媒体とを備えるネットワークノードであって、記憶媒体はプロセッサによって実行可能な命令を含んでおり、ネットワークノードは上記の方法のステップいずれかを実施するように動作可能である、ネットワークノード。
・  実施形態Ｌ：  プロセッサとコンピュータ可読記憶媒体とを備えるワイヤレスデバイスであって、記憶媒体はプロセッサによって実行可能な命令を含んでおり、ワイヤレスデバイスは上記の方法のステップいずれかを実施するように動作可能である、ワイヤレスデバイス。
・  実施形態Ｍ：  複数のモジュールを備えるネットワークノードであって、モジュールは上記の方法のステップのいずれかを実施するように構成された、ネットワークノード。
・  実施形態Ｎ：  複数のモジュールを備えるワイヤレスデバイスであって、モジュールは上記の方法のステップのいずれかを実施するように構成された、ワイヤレスデバイス。
【０１００】
本開示全体にわたって、以下の頭字語が使用される。
・  ３ＧＰＰ  第３世代パートナーシッププロジェクト
・  ＡＳＩＣ  特定用途向け集積回路
・  ＢＳＣ  基地局コントローラ
・  ＢＴＳ  基地トランシーバ局
・  ＣＰＵ  中央処理ユニット
・  ＣＲＳ  セル特有参照信号
・  ＤＲＳ  発見参照信号
・  ＤＲＸ  間欠受信
・  ＤＴｘＷ  ＤＲＳ送信ウィンドウ
・  ｅＮＢ  拡張またはエボルブドノードＢ
・  ＦＤＤ  周波数分割複信
・  ＦＰＧＡ  フィールドプログラマブルゲートアレイ
・  ＩＥＥＥ  米国電気電子技術者協会
・  ＩＭＳＩ  国際モバイル加入者識別情報
・  ＩＰ  インターネットプロトコル
・  ＬＡＡ  ライセンス済み支援型アクセス
・  ＬＡＮ  ローカルエリアネットワーク
・  ＬＢＴ  リッスンビフォアトーク
・  ＬＴＥ  Ｌｏｎｇ  Ｔｅｒｍ  Ｅｖｏｌｕｔｉｏｎ
・  ＭＦ  ＭｕｌｔｅＦｉｒｅ／ＭｕＬＴＥｆｉｒｅ、未ライセンススペクトルにおいて使用するためのＬＴＥベース技術
・  ＰＣｅｌｌ  １次セル
・  ＰＤＡ  携帯情報端末
・  ＰＤＣＣＨ  物理ダウンリンク制御チャネル
・  ＰＤＳＣＨ  物理ダウンリンク共有チャネル
・  ＰＦ  ページングフレーム
・  ＰＯ  ページングオケージョン
・  ＰＯＷ  ページングオケージョンウィンドウ
・  Ｐ−ＲＮＴＩ  ページング無線ネットワーク一時識別子
・  ＰＳＧ  ページングサブフレームグルーピング
・  ＰＳＧＮ  ページングサブフレームグルーピング番号
・  ＰＳＴＮ  公衆交換電話網
・  ＲＡＭ  ランダムアクセスメモリ
・  ＲＡＴ  無線アクセス技術
・  ＲＮＣ  無線ネットワークコントローラ
・  ＲＯＭ  読取り専用メモリ
・  ＳＣｅｌｌ  ２次セル
・  ＳＦ  サブフレーム
・  ＳＦＮ  システムフレーム番号
・  ＳＩＢ  システム情報ブロック
・  ＴＤＤ  時分割複信
・  ＴＸＯＰ  送信機会
・  ＵＥ  ユーザ機器
・  ＵＬ／ＤＬ  アップリンク／ダウンリンク
・  ＵＳＩＭ  汎用加入者識別モジュール
・  ＶｏＩＰ  ボイスオーバーインターネットプロトコル
・  ＷＡＮ  ワイドエリアネットワーク
・  ＷＤ  ワイヤレスデバイス
・  ＷＬＡＮ  ワイヤレスローカルエリアネットワーク
【０１０１】
当業者は、本開示の実施形態に対する改善および変更を認識されよう。すべてのそのような改善および変更は、本明細書で開示される概念の範囲内で考慮される。
【図１】
2019506816.tif 000006
【図２】
2019506816.tif 000007
【図３】
2019506816.tif 000008
【図４】
2019506816.tif 000009
【図５】
2019506816.tif 000010
【図６】
2019506816.tif 000011
【図７】
2019506816.tif 000012
【図８】
2019506816.tif 000013
【国際調査報告】
2019506816.tif 000014
2019506816.tif 000015
2019506816.tif 000016